(57)【要約】【課題】トナーの帯電量が過剰になることを防ぎ転写効率を良好にする画像形成方法及び画像形成装置を提供することを目的とする。【解決手段】画像形成方法において、現像剤担持体上の液体現像剤を帯電させるトナーチャージャと、像担持体上の液体現像剤像にバイアスを印加するバイアス印加手段とを有し、前記トナーチャージャのチャージ量に応じて前記バイアス印加手段のバイアス設定値を調整することを特徴とし、また、画像形成装置において、現像剤担持体上の液体現像剤を帯電するトナーチャージャと、トナーチャージャからのチャージ量を調整するチャージ調整手段と、像担持体上の液体現像剤像にバイアスを印加するバイアス印加手段と、前記チャージ調整手段により調整されたチャージ量に応じて前記バイアス印加手段のバイアス値を調整するバイアス値調整手段とを備えることを特徴とする。【選択図】図５
2009145753.tif 000002
【特許請求の範囲】
【請求項１】
現像剤担持体上の液体現像剤を帯電させるトナーチャージャと、像担持体上の液体現像剤像にバイアスを印加するバイアス印加手段とを有し、前記トナーチャージャのチャージ量に応じて前記バイアス印加手段のバイアス設定値を調整することを特徴とする画像形成方法。
【請求項２】
前記バイアス印加手段が、一次転写バイアス印加手段、感光体上スクイーズバイアス印加手段、中間転写体スクイーズバイアス印加手段の内の少なくとも１つであることを特徴とする請求項１に記載の画像形成方法。
【請求項３】
前記トナーチャージャのチャージ量をパッチ濃度検出手段のパッチ濃度情報により調整することを特徴とする請求項１又は２に記載の画像形成方法。
【請求項４】
前記トナーチャージャをコロナ帯電器とすることを特徴とする請求項１〜３のいずれかに記載の画像形成方法。
【請求項５】
現像剤担持体上の液体現像剤を帯電するトナーチャージャと、トナーチャージャからのチャージ量を調整するチャージ調整手段と、像担持体上の液体現像剤像にバイアスを印加するバイアス印加手段と、前記チャージ調整手段により調整されたチャージ量に応じて前記バイアス印加手段のバイアス値を調整するバイアス値調整手段とを備えることを特徴とする画像形成装置。
【発明の詳細な説明】
【技術分野】
【０００１】
本発明は、トナーを不揮発性キャリア液に分散させた液体現像剤を用いて現像ローラに現像バイアスを印加して潜像担持体上の潜像を現像して液体現像剤像を形成し、潜像担持体上の液体現像剤像を像担持体上に転写し、像担持体上に転写された液体現像剤像を紙等の転写材に転写する画像形成方法及び画像形成装置に関するものである。
【背景技術】
【０００２】
従来、液体現像剤を用いた画像形成装置では、トナーを不揮発性キャリア液に分散させた液体現像剤を用いて潜像担持体上の潜像を現像して液体現像剤像を形成し、その液体現像剤像を像担持体に複数回の転写を繰り返して重ね合わせてフルカラーの画像を形成し、その画像を一括して紙等の転写材に転写することが行われている。このような画像形成装置において、像担持体上の重ね合わせた画像を転写材に一括して転写する場合、重ね合わせ画像の固形分濃度の上昇により転写効率が低下するという不具合が発生する。特開２０００−１２２４２７号公報には、このような不具合の発生を抑制するために、像担持体上に複数の色を重ね合わせる際、二色目以降の現像に使用する液体現像剤のトナー固形分率を、一色目の現像に使用する液体現像剤のトナー固形分率より低くし、像担持体に形成された重ね合わせ画像を、電気泳動による転写がされやすくする画像形成方法が提案されている。
【特許文献１】特開２０００−１２２４２７号公報。
【発明の開示】
【発明が解決しようとする課題】
【０００３】
トナーを不揮発性キャリア液に分散させた液体現像剤を用いる画像形成方法において、像担持体上に複数の色の液体現像剤像を重ね合わせる方式では、像担持体上に転写されたトナー層は色重ねが行われるたびに像担持体へ押し付けられる電界を受けることになる。特に１色目のトナーはその影響が顕著であり、例えば４色の現像ユニットを有する方式の場合、１色目が像担持体に転写された後３回の電界を受けることになる。電界を受けるたびに、トナー粒子は像担持体に押し付けられるため付着力が増加して、像担持体から引き剥がすのが難しくなる。
【０００４】
また、像担持体上にキャリア液を回収するスクイーズ機構を有する場合、スクイーズニップを通過することで像担持体へ押し付けられる電界を受け、これによって、トナー粒子の帯電量が高くなり像担持体への付着力が増加して、像担持体から引き剥がすのが難しくなり転写効率が低下するという問題が発生する。このように、トナーを不揮発性キャリア液に分散させた液体現像剤を用いる画像形成方法において、像担持体上に複数の色の液体現像剤像を重ね合わせる方式では、トナー粒子と像担持体の付着力が高くなりやすく、それを引き剥がすために強い電界が必要になるという課題が存在する。さらに、トナー粒子帯電量について調査を行ったところ、トナー粒子帯電量が高くなりすぎる場合、転写不良が発生しやすいことがわかった。これは、上記のようにトナー粒子を像担持体から引き剥がすのに強い電界、すなわち転写ニップ間に大きな電圧差が必要であるのに対して、トナー帯電量が高くなると転写ニップ部でトナー移動に伴い流れる電流が大きくなり、この結果、ニップを形成する部材（中間転写体や転写ローラなど）および用紙での電圧降下が大きくなりニップ間に形成される電圧差が減少し、十分な電界がかからなくことが主な理由と考えられる。
【０００５】
本発明はこのような事情に鑑みてなされたものであって、その目的は、トナーの帯電量が過剰になることを防ぎ転写効率を良好にする画像形成方法及び画像形成装置を提供することである。
【課題を解決するための手段】
【０００６】
本第１発明は、画像形成方法において、現像剤担持体上の液体現像剤を帯電させるトナーチャージャと、像担持体上の液体現像剤像にバイアスを印加するバイアス印加手段とを有し、前記トナーチャージャのチャージ量に応じて前記バイアス印加手段のバイアス設定値を調整することを特徴とする。現像剤担持体に配置されるトナーチャージャによりトナー帯電量を適切に調整した後、バイアス印加手段からのバイアス値を適切に調整し、トナーへの電荷注入を抑制することでトナーの帯電量が過大になることを防ぎ、用紙への転写不良を防止することができる。
【０００７】
本第２発明は、本第１発明の画像形成方法において、前記バイアス印加手段が、一次転写バイアス印加手段、感光体上スクイーズバイアス印加手段、中間転写体スクイーズバイアス印加手段の内の少なくとも１つであることを特徴とする。一次転写バイアス、感光体上スクイーズ、中間転写体上スクイーズ、の少なくともひとつの設定値を調整することで、該当するバイアス印加部でのトナーへの電荷注入を抑制しトナーの帯電量が上昇することを防ぐことができる。
【０００８】
本第３発明は、本第１又は第２発明の画像形成方法において、前記トナーチャージャのチャージ量をパッチ濃度検出手段のパッチ濃度情報により調整することを特徴とする。トナーチャージャのチャージ量をパッチ濃度によって制御することで、トナー特性の変化に応じて適切なチャージ量を設定し、それに基づいてバイアス印加手段の設定値を適切に調整することが可能になる。
【０００９】
本第４発明は、本第１〜第３発明のいずれかの画像形成方法において、前記トナーチャージャをコロナ帯電器とすることを特徴とする。
【００１０】
本第５発明は、画像形成装置において、現像剤担持体上の液体現像剤を帯電するトナーチャージャと、トナーチャージャからのチャージ量を調整するチャージ調整手段と、像担持体上の液体現像剤像にバイアスを印加するバイアス印加手段と、前記チャージ調整手段により調整されたチャージ量に応じて前記バイアス印加手段のバイアス値を調整するバイアス値調整手段とを備えることを特徴とする。現像剤担持体に配置されるトナーチャージャによりトナー帯電量を適切に調整した後、バイアス印加手段からのバイアス値を適切に調整し、トナーへの電荷注入を抑制することでトナーの帯電量が過大になることを防ぎ、用紙への転写不良を防止することができる。
【発明を実施するための最良の形態】
【００１１】
以下、図面を用いて本発明を実施するための最良の形態について説明する。図１は、本発明にかかる画像形成装置の実施の形態の第１実施形態を模式的にかつ部分的に示す図である。
【００１２】
図１に示すように、この例の画像形成装置１は、タンデムに配置されたイエロー（Ｙ）、マゼンタ（Ｍ）、シアン（Ｃ）およびブラック（Ｋ）の潜像担持体である感光体２Ｙ,２Ｍ,２Ｃ,２Ｋを備えている。ここで、各感光体２Ｙ,２Ｍ,２Ｃ,２Ｋにおいて、２Ｙはイエローの感光体、２Ｍはマゼンタの感光体、２Ｃはシアンの感光体、２Ｋはブラックの感光体を表す。また、他の部材についても同じように、部材の符号にそれぞれ各色のＹ,Ｍ,Ｃ,Ｋを添えて各色の部材を表す。各感光体２Ｙ,２Ｍ,２Ｃ,２Ｋは、図１に示す例ではいずれも、感光体ドラムから構成されている。なお、各感光体２Ｙ,２Ｍ,２Ｃ,２Ｋは、無端ベルト状に構成することもできる。
【００１３】
これらの感光体２Ｙ,２Ｍ,２Ｃ,２Ｋは、いずれも作動時に図１に矢印で示すように時計回りに回転するようにされている。各感光体２Ｙ,２Ｍ,２Ｃ,２Ｋの周囲には、それぞれ、それらの回転方向上流側から順に、帯電部材３Ｙ,３Ｍ,３Ｃ,３Ｋ、露光装置４Ｙ,４Ｍ,４Ｃ,４Ｋ、現像装置５Ｙ,５Ｍ,５Ｃ,５Ｋ、感光体上スクイーズ装置６Ｙ,６Ｍ,６Ｃ,６Ｋ、一次転写装置７Ｙ,７Ｍ,７Ｃ,７Ｋと、除電装置８Ｙ、８Ｍ、８Ｃ、８Ｋとが配設されている。なお、各除電装置８Ｙ,８Ｍ,８Ｃ,８Ｋと各帯電部材３Ｙ,３Ｍ,３Ｃ,３Ｋとの間には、それぞれ感光体クリーニング装置９Ｙ、９Ｍ、９Ｃ、９Ｋが配設されている。
【００１４】
また、画像形成装置１は、中間転写媒体である無端状の中間転写ベルト１０を備えている。この中間転写ベルト１０は図示しないモータの駆動力が伝達されるベルト駆動ローラ１１および従動ローラ１３に張架されて図１において反時計回りに回転可能に設けられている。
【００１５】
中間転写ベルト１０は、例えば、図６に示されるように、基材層１０ａに弾性層１０ｂが積層され、弾性層１０ｂの表面にコート層１０ｃが形成された複層構造のものを使用しても良い。弾性層１０ｂを備えた複層構造とすることにより中間転写ベルト１０を厚み方向へ適度な弾性を持たせ感光体２Ｙ,２Ｍ,２Ｃ,２Ｋからの液体現像剤像の転写性及び転写材への転写性が向上し、特に、凹凸の大きい転写性に優れ、凹部にもきれいな画像を転写できる。基材層１０ａを構成する材料は、ポリイミド樹脂、またはポリアミドイミド樹脂等であり、弾性層１０ｂを構成する材料は、ポリウレタンゴム等であり、コート層１０ｃを構成する材料はフッ素樹脂等である。中間転写ベルト１０は単層構造のものを使用しても良い。また、中間転写体を中間転写ローラとしても良い。
【００１６】
なお、この例の画像形成装置１では、各感光体２Ｙ,２Ｍ,２Ｃ,２Ｋおよび各現像装置５Ｙ,５Ｍ,５Ｃ,５Ｋは中間転写ベルト１０の回転方向上流側から色Ｙ、Ｍ、Ｃ、Ｋの順に配設されているが、これらの各色Ｙ、Ｍ、Ｃ、Ｋの配置順は任意に設定することができる。
【００１７】
なお、図示しないが、この例の画像形成装置１は、二次転写を行う従来の一般的な画像形成装置と同様に、二次転写装置１６より転写材搬送方向上流側に例えば紙等の転写材を収納する転写材収納装置と、この転写材収納装置からの転写材を二次転写装置１６へ搬送供給するレジストローラ対５５とを備えている。また、この画像形成装置１は、同様に二次転写装置１６より転写材搬送方向下流側に定着装置および排紙トレイを備えている。
【００１８】
各帯電部材３Ｙ,３Ｍ,３Ｃ,３Ｋはそれぞれ例えばコロナ帯電器からなる。各帯電部材３Ｙ,３Ｍ,３Ｃ,３Ｋには、図示しない電源装置から液体現像剤の帯電極性と同極性のバイアスがそれぞれ印加される。そして、各帯電部材３Ｙ,３Ｍ,３Ｃ,３Ｋは、それぞれ、対応する感光体２Ｙ,２Ｍ,２Ｃ,２Ｋを帯電するようになっている。また、各露光装置４Ｙ,４Ｍ,４Ｃ,４Ｋは、それぞれ、対応する帯電された感光体２Ｙ,２Ｍ,２Ｃ,２Ｋ上に、例えばレーザ走査光学系等からレーザ光を照射することによって静電潜像を形成するようになっている。
【００１９】
各現像装置５Ｙ,５Ｍ,５Ｃ,５Ｋは、それぞれ、現像剤供給部１８Ｙ,１８Ｍ,１８Ｃ,１８Ｋと、現像ローラ１９Ｙ,１９Ｍ,１９Ｃ,１９Ｋと、トナーチャージャ２０Ｙ、２０Ｍ、２０Ｃ、２０Ｋ、現像ローラクリーナ２１Ｙ,２１Ｍ,２１Ｃ,２１Ｋとを備えている。
【００２０】
各現像剤供給部１８Ｙ,１８Ｍ,１８Ｃ,１８Ｋは、それぞれ、トナー粒子および不揮発性液体キャリアからなる液体現像剤２３Ｙ,２３Ｍ,２３Ｃ,２３Ｋを収納する現像剤容器２４Ｙ,２４Ｍ,２４Ｃ,２４Ｋと、現像剤汲み上げローラ２５Ｙ,２５Ｍ,２５Ｃ,２５Ｋと、アニロクスローラ２６Ｙ,２６Ｍ,２６Ｃ,２６Ｋと、現像剤規制ブレード２７Ｙ,２７Ｍ,２７Ｃ,２７Ｋとを備えている。
【００２１】
各現像剤容器２４Ｙ,２４Ｍ,２４Ｃ,２４Ｋ内に収納される液体現像剤２３Ｙ,２３Ｍ,２３Ｃ,２３Ｋにおいて、トナーとしては、トナーに使用される公知の熱可塑性樹脂中へ同じく公知の顔料等の着色剤を分散させた例えば平均粒径１μｍの粒子を用いることができる。一方、液体キャリアとしては、低粘性低濃度の液体現像剤の場合は、例えばＩｓｏｐａｒ（商標：エクソン社）の絶縁性液体キャリアを用いることができる。また、液体キャリアとして、高粘性高濃度の液体現像剤の場合は、例えば、有機溶媒、フェニルメチルシロキサン、ジメチルポリシロキサンおよびポリジメチルシクロシロキサン等の引火点２１０℃以上のシリコーンオイル、鉱物油、沸点１７０℃以上で４０℃での粘度が３ｍＰａ・ｓの比較的低粘度の流動パラフィンなどの脂肪族飽和炭化水素、ノルマルパラフィン、植物油、食用油、高級脂肪酸エステル、等の絶縁性液体キャリアを用いることができる。そして、液体現像剤２３Ｙ,２３Ｍ,２３Ｃ,２３Ｋはトナー粒子を液体キャリアへ分散剤とともに添加し、トナー固形分濃度を約２０％としたものである。また、液体現像剤は、荷電制御剤などの作用によって帯電させておくことができる。
【００２２】
各現像剤汲み上げローラ２５Ｙ,２５Ｍ,２５Ｃ,２５Ｋは、それぞれ、各現像剤容器２４Ｙ,２４Ｍ,２４Ｃ,２４Ｋ内の液体現像剤２３Ｙ,２３Ｍ,２３Ｃ,２３Ｋを汲み上げて各アニロクスローラ２６Ｙ,２６Ｍ,２６Ｃ,２６Ｋに供給するローラである。各現像剤汲み上げローラ２５Ｙ,２５Ｍ,２５Ｃ,２５Ｋは、いずれも図１において矢印で示す時計まわりに回転するようにされている。また、各アニロクスローラ２６Ｙ,２６Ｍ,２６Ｃ,２６Ｋは、いずれも、円筒状の部材で表面に微細かつ一様に螺旋状の溝を形成したローラである。溝の寸法は、例えば、溝ピッチが約１７０μｍ、溝深さが約３０μｍに設定される。もちろん、溝の寸法はこれらの値に限定されることはない。各アニロクスローラ２６Ｙ,２６Ｍ,２６Ｃ,２６Ｋは、いずれも各現像ローラ１９Ｙ,１９Ｍ,１９Ｃ,１９Ｋと同じ方向で図１において矢印で示す反時計まわりに回転するようにされている。なお、各アニロクスローラ２６Ｙ,２６Ｍ,２６Ｃ,２６Ｋは、いずれも各現像ローラ１９Ｙ,１９Ｍ,１９Ｃ,１９Ｋと連れ回りで回転するようにすることもできる。すなわち、アニロクスローラ２６Ｙ,２６Ｍ,２６Ｃ,２６Ｋの回転方向は、限定されず任意である。
【００２３】
各現像剤規制ブレード２７Ｙ,２７Ｍ,２７Ｃ,２７Ｋは、それぞれ、各アニロクスローラ２６Ｙ,２６Ｍ,２６Ｃ,２６Ｋの表面に当接して設けられている。これらの現像剤規制ブレード２７Ｙ,２７Ｍ,２７Ｃ,２７Ｋは、それぞれ、各アニロクスローラ２６Ｙ,２６Ｍ,２６Ｃ,２６Ｋの表面に当接する、ウレタンゴム等からなるゴム部と、このゴム部を支持する金属等の板とから構成されている。そして、各現像剤規制ブレード２７Ｙ,２７Ｍ,２７Ｃ,２７Ｋは、それぞれ、各アニロクスローラ２６Ｙ,２６Ｍ,２６Ｃ,２６Ｋの溝部以外の表面に付着する液体現像剤をゴム部で掻き落として除去する。したがって、各アニロクスローラ２６Ｙ,２６Ｍ,２６Ｃ,２６Ｋは、それらの溝部内に付着する液体現像剤のみを各現像ローラ１９Ｙ,１９Ｍ,１９Ｃ,１９Ｋに供給するようになっている。
【００２４】
各現像ローラ１９Ｙ,１９Ｍ,１９Ｃ,１９Ｋは、いずれも、例えば幅約３２０ｍｍの円筒状の部材であり、例えば鉄等金属シャフトの外周部に、導電性ウレタンゴム等の弾性体と樹脂層やゴム層を備えたものである。現像ニップの上流側にトナーチャージャ２０Ｙ、２０Ｍ、２０Ｃ、２０Ｋを配置し、トナーチャージャトナーチャージャ２０Ｙ、２０Ｍ、２０Ｃ、２０Ｋに電流を流し現像ローラ１９Ｙ、１９Ｍ、１９Ｃ、１９Ｋ上のトナーを帯電する。トナーチャージャ２０Ｙ、２０Ｍ、２０Ｃ、２０Ｋについては後述する。これらの現像ローラ１９Ｙ,１９Ｍ,１９Ｃ,１９Ｋは、それぞれ各感光体２Ｙ、２Ｍ、２Ｃ、２Ｋに当接され、かつ図１において矢印で示すように反時計まわりに回転するようにされている。現像位置で現像バイアス印加手段（図示せず）からら現像ローラ１９Ｙ,１９Ｍ,１９Ｃ,１９Ｋに印加される現像バイアスによってトナーが現像ローラ１９Ｙ,１９Ｍ,１９Ｃ,１９Ｋから感光体２Ｙ、２Ｍ、２Ｃ、２Ｋに移動して、静電潜像が顕像化される。
【００２５】
更に、各現像ローラクリーナ２１Ｙ、２１Ｍ、２１Ｃ、２１Ｋは、それぞれ、対応する現像ローラ１９Ｙ,１９Ｍ,１９Ｃ,１９Ｋの表面に当接する例えばゴム等で構成され、現像ローラ１９Ｙ、１９Ｍ、１９Ｃ、１９Ｋに残留する現像剤を掻き落として除去するためのものである。各現像ローラクリーナ２１Ｙ、２１Ｍ、２１Ｃ、２１Ｋによって現像ローラ１９Ｙ、１９Ｍ、１９Ｃ、１９Ｋから掻き落とされた現像剤は現像剤容器２４Ｙ、２４Ｍ、２４Ｃ、２４Ｋに落下する。
【００２６】
更に、この例の画像形成装置１は、それぞれ液体現像剤２３Ｙ,２３Ｍ,２３Ｃ,２３Ｋを現像剤容器２４Ｙ,２４Ｍ,２４Ｃ,２４Ｋに補給する現像剤補給装置３０Ｙ,３０Ｍ,３０Ｃ,３０Ｋを備えている。これらの現像剤補給装置３０Ｙ,３０Ｍ,３０Ｃ,３０Ｋは、それぞれ、トナータンク３１Ｙ,３１Ｍ,３１Ｃ,３１Ｋと、キャリアタンク３２Ｙ,３２Ｍ,３２Ｃ,３２Ｋとを備えている。
【００２７】
各トナータンク３１Ｙ,３１Ｍ,３１Ｃ,３１Ｋには、それぞれ各高濃度液体トナー３４Ｙ,３４Ｍ,３４Ｃ,３４Ｋが収納されている。また、各キャリアタンク３２Ｙ,３２Ｍ,３２Ｃ,３２Ｋには、それぞれ各液体キャリア（キャリアオイル）３５Ｙ,３５Ｍ,３５Ｃ,３５Ｋが収納されている。各トナータンク３１Ｙ,３１Ｍ,３１Ｃ,３１Ｋからの所定量の各高濃度液体トナー３４Ｙ,３４Ｍ,３４Ｃ,３４Ｋと各キャリアタンク３２Ｙ,３２Ｍ,３２Ｃ,３２Ｋからの所定量の各液体キャリア３５Ｙ,３５Ｍ,３５Ｃ,３５Ｋが各現像剤容器２４Ｙ,２４Ｍ,２４Ｃ,２４Ｋに供給されるようになっている。また、現像剤補給装置３０Ｙ,３０Ｍ,３０Ｃ,３０Ｋには、回収されたキャリアを収納する回収キャリアタンク７０と新品キャリアを収納する新品キャリアタンク８０が配置され、各キャリアタンク３２Ｙ,３２Ｍ,３２Ｃ,３２Ｋに新品キャリア又は回収キャリアを供給する。
【００２８】
不揮発性キャリアを用いる画像形成装置では、転写材に転写されたトナー像を熱によって溶融定着する工程でキャリア液が多量に存在すると定着不良が発生する。このため、スクイーズによってキャリア液量を定着可能なレベルまで減量することが必要である。
【００２９】
そのため、この実施形態の画像形成装置１では、感光体上スクイーズ装置６Ｙ,６Ｍ,６Ｃ,６Ｋを配置している。各感光体上スクイーズ装置６Ｙ,６Ｍ,６Ｃ,６Ｋは、それぞれ、感光体上スクイーズローラ３６Ｙ,３６Ｍ,３６Ｃ,３６Ｋと、感光体上スクイーズローラクリーナ３７Ｙ,３７Ｍ,３７Ｃ,３７Ｋと、感光体上スクイーズローラクリーナ回収液貯留容器３８Ｙ,３８Ｍ,３８Ｃ,３８Ｋとを備えている。各感光体上スクイーズローラ３６Ｙ,３６Ｍ,３６Ｃ,３６Ｋは、それぞれ、各感光体２Ｙ,２Ｍ,２Ｃ,２Ｋと各現像ローラ１９Ｙ,１９Ｍ,１９Ｃ,１９Ｋとの当接部（ニップ部）より各感光体２Ｙ,２Ｍ,２Ｃ,２Ｋの回転方向下流側に設置されている。そして、これらの感光体上スクイーズローラ３６Ｙ,３６Ｍ,３６Ｃ,３６Ｋは、それぞれ、各感光体２Ｙ,２Ｍ,２Ｃ,２Ｋと逆方向（図１において反時計回り）に回転されて、トナー帯電と同極性の電圧を印加することでトナー粒子を感光体２Ｙ、２Ｍ、２Ｃ、２Ｋに押し付けて、上澄みのキャリア液のみを除去する。
【００３０】
各感光体上スクイーズローラ３６Ｙ,３６Ｍ,３６Ｃ,３６Ｋとしては、いずれも、金属製芯金の表面に導電性ウレタンゴム等の弾性部材とフッ素樹脂製表層を配した弾性ローラが好適である。また、各感光体上スクイーズローラクリーナ３７Ｙ,３７Ｍ,３７Ｃ,３７Ｋは、いずれもゴム等の弾性体からなり、それぞれ対応するスクイーズローラ３６Ｙ,３６Ｍ,３６Ｃ,３６Ｋの表面に当接され、これらの感光体上スクイーズローラ３６Ｙ,３６Ｍ,３６Ｃ,３６Ｋに残留する液体キャリアを掻き落として除去するものである。更に、各スクイーズローラクリーナ回収液貯留容器３８Ｙ,３８Ｍ,３８Ｃ,３８Ｋは、それぞれ対応するスクイーズローラクリーナ３７Ｙ,３７Ｍ,３７Ｃ,３７Ｋが掻き落とした現像剤を貯留するタンク等の容器である。各スクイーズローラクリーナ回収液貯留容器３８Ｙ,３８Ｍ,３８Ｃ,３８Ｋ内の回収キャリアは回収キャリアタンク７０に搬送され再利用される。
【００３１】
各一次転写装置７Ｙ,７Ｍ,７Ｃ,７Ｋは、それぞれ、中間転写ベルト１０を各感光体２Ｙ,２Ｍ,２Ｃ,２Ｋに当接させる一次転写用のバックアップローラ３９Ｙ,３９Ｍ,３９Ｃ,３９Ｋを備えている。各バックアップローラ３９Ｙ,３９Ｍ,３９Ｃ,３９Ｋは、トナー粒子の帯電極性と逆極性の電圧が印加されて、各感光体２Ｙ,２Ｍ,２Ｃ,２Ｋ上の各色のトナー像（液体現像剤像）を中間転写ベルト１０に一次転写する。一次転写後の感光体２Ｙ、２Ｍ、２Ｃ、２Ｋ上に感光体クリーニング装置９Ｙ、９Ｍ、９Ｃ、９Ｋが当接し残留した現像剤を掻き落として除去し、回収キャリアタンク７０に搬送し再利用する。また、各除電装置８Ｙ,８Ｍ,８Ｃ,８Ｋは、それぞれ、一次転写後に各感光体２Ｙ,２Ｍ,２Ｃ,２Ｋに残留する電荷を除去するものである。
【００３２】
二次転写装置１６は、ベルト駆動ローラ１１に中間転写ベルト１０を介して当接可能とされる二次転写ローラ４３を備えている。また、二次転写装置１６は、二次転写ローラ４３に対して、二次転写ローラクリーナ４５と二次転写ローラクリーナ回収液貯留容器４７とを備えている。この二次転写ローラクリーナ４５は二次転写ローラ４３に当接されて二次転写後に二次転写ローラ４３の表面に残留する液体現像剤等の異物を掻き落として除去する。また、二次転写ローラクリーナ回収液貯留容器４７は、二次転写ローラクリーナ４５によって二次転写ローラ４３から掻き落とされた現像剤を回収して貯留し、回収キャリアタンク７０に搬送され再利用される。したがって、二次転写ローラ４３に付着する液体現像剤等の異物による次の転写材への影響を防止することができる。二次転写後の中間転写ベルト１０の従動ローラ１３側にはキャリアを回収するスクイーズローラ９０と、その下流に中間転写ベルトクリーニング装置１７が設けられている。中間転写ベルトクリーニング装置１７は、中間転写ベルトクリーニングブレード４９と中間転写ベルトクリーニング回収液貯留容器６０により構成される。
【００３３】
図２は、本発明の画像形成装置の第２実施形態を模式的にかつ部分的に示す図である。なお、前述の実施形態と同じ構成要素には同じ符号を付して、その詳細な説明は省略する。前述の図１に示す実施形態の画像形成装置１では、感光体上スクイーズ装置６Ｙ,６Ｍ,６Ｃ,６Ｋを配置しているのに対して、第２の実施形態の画像形成装置１は、中間転写ベルト１０に中間転写体上スクイーズ装置１５Ｙ、１５Ｍ、１５Ｃ、１５Ｋを配置する。中間転写体上スクイーズ装置１５Ｙ、１５Ｍ、１５Ｃ、１５Ｋは、それぞれ、中間転写体上スクイーズローラ４０Ｙ、４０Ｍ、４０Ｃ、４０Ｋと、中間転写体上スクイーズローラ当接部材５０Ｙ、５０Ｍ、５０Ｃ、５０Ｋと、中間転写体上スクイーズローラクリーナ４１Ｙ、４１Ｍ、４１Ｃ、４１Ｋと、中間転写体上スクイーズローラクリーナ回収液貯留容器４２Ｙ、４２Ｃ、４２Ｋ、４２Ｋとを備えている。
【００３４】
各中間転写体上スクイーズローラ４０Ｙ、４０Ｍ、４０Ｃ、４０Ｋは、それぞれ中間転写ベルト１０上の対応する色の液体キャリアを回収するものである。各中間転写体上スクイーズローラ４０Ｙ、４０Ｍ、４０Ｃ、４０Ｋにトナー帯電と同極性の電圧を印加することでトナー粒子を中間転写ベルト１０側に押し付けて、上澄みのキャリア液のみを除去する。
【００３５】
また、各中間転写体上スクイーズローラクリーナ４１Ｙ、４１Ｍ、４１Ｃ、４１Ｋは、それぞれ中間転写体上スクイーズローラ４０Ｙ、４０Ｍ、４０Ｃ、４０Ｋのローラ上の回収した液体キャリアを掻き取るものである。これらの中間転写体上スクイーズローラクリーナ４１Ｙ、４１Ｍ、４１Ｃ、４１Ｋは、ゴム等の弾性体からなっている。更に、各中間転写体上スクイーズローラクリーナ回収液貯留容器４２Ｍ、４２Ｃ、４２Ｋ、４２Ｋは、それぞれ各中間転写体上スクイーズローラクリーナ４１Ｙ、４１Ｍ、４１Ｃ、４１Ｋで掻き取った液体キャリアを回収貯留し、回収キャリアタンク７０に搬送し再利用するものである。
【００３６】
図３は、本発明の第３実施形態の画像形成装置１を模式的にかつ部分的に示す図である。また、図５は、図３のイエローの画像形成部の一部拡大図である。なお、前述の実施形態と同じ構成要素には同じ符号を付して、その詳細な説明は省略する。この実施形態の画像形成装置１は、感光体上スクイーズ装置６Ｙ,６Ｍ,６Ｃ,６Ｋと中間転写体上スクイーズ装置１５Ｙ、１５Ｍ、１５Ｃ、１５Ｋの両方を配置する。
【００３７】
図４は、本発明の第４実施形態の画像形成装置１を模式的にかつ部分的に示す図である。なお、前述の実施形態と同じ構成要素には同じ符号を付して、その詳細な説明は省略する。この実施形態の画像形成装置１は、感光体上スクイーズ装置６Ｙ,６Ｍ,６Ｃ,６Ｋと中間転写体上スクイーズ装置１５Ｙ、１５Ｍ、１５Ｃ、１５Ｋの両方を配置し、感光体上スクイーズ装置６Ｙ、６Ｍ、６Ｃ、６Ｋにそれぞれ２段の感光体上スクイーズローラ３６Ｙ、３６Ｍ、３６Ｃ、３６Ｋを配置している。また、図示しないが、中間転写体上スクイーズ装置１５Ｙ、１５Ｍ、１５Ｃ、１５Ｋを複数段配置しても良い。
【００３８】
本発明の図１〜図４に示される第１〜第４実施形態の画像形成装置１は、感光体上スクイーズ装置６Ｙ、６Ｍ、６Ｃ、６Ｋ、一次転写部７Ｙ、７Ｍ、７Ｃ、７Ｋ、中間転写体上スクイーズ装置１５Ｙ、１５Ｍ、１５Ｃ、１５Ｋで液体現像剤像に複数回のバイアスが印加されるため、トナー粒子の帯電量が高くなりすぎる場合があり、その結果、転写不良が発生しやすいことが分かった。これは、トナー帯電量が高くなることで用紙転写ニップ部でトナー移動に伴い流れる電流が大きくなり、この結果、ニップを形成する部材（中間転写体や転写ローラなど）および用紙での電圧降下が大きくなりトナー層に十分な電界がかからなくなることが主な理由と考えられる。
【００３９】
図７、図８は、一次転写部での転写の状況を説明するため一部拡大図である。
【００４０】
図７、図８の（１）の段階では、感光体上の現像剤層が一時転写ニップに進入すると電界によってトナー粒子が中間転写体側へと移動を開始する。
【００４１】
図７、図８の（２）の段階では、やがて中間転写体側へ一部のトナー粒子が到達する。
【００４２】
図７、図８の（３）の段階では、その後全てのトナー粒子が中間転写体側へと到達する。このとき、トナー粒子間には、各粒子の帯電による電気的な斥力や粒子の周りに付着する分散剤による斥力が存在するため、粒子同士はある程度の距離を保とうとする。一方で、ニップ内の電界により全ての粒子が中間転写体体側へと押し付けられることで、粒子同士が近づけられるため、電界が無い状態と比べて粒子同士の距離が縮まった状態（圧縮状態）になる。
【００４３】
調査の結果、（３）の段階では粒子が圧縮された状態で電界が印加され続けることにより、トナーへの電荷注入が発生しやすいことが分かった。トナーチャージ機構により通常よりも強い帯電を付与した場合、ニップ内での粒子の移動が速くなっていると考えられ、よって図８のように早い段階で（３）の状態になりその後ニップを出るまでに通常よりも大きな電荷注入を受けると考えられる。この場合、ニップに印加するバイアスを通常よりも低めに設定することで、粒子の移動を遅くしニップ内で（３）の状態が長く続かないようにすることで、過剰な電荷注入を防止できる。
【００４４】
図９、図１０は、スクイーズの場合のトナー粒子の状況を中間転写体上スクイーズを例として説明する図である。
【００４５】
図９、図１０の（Ａ）の段階では、中間転写体上のトナー層中のトナーは比較的分散した状態となっているが、ニップに進入すると電界によってトナー粒子が中間転写体側へと移動を開始する。
【００４６】
図９、図１０の（Ｂ）の段階では、ニップ内の電界により粒子が中間転写体側へと押し付けられることで、粒子同士が近づけられるため、電界が無い状態と比べて粒子同士の距離が縮まった状態（圧縮状態）になる。この状態において、電界が印加され続けることにより、トナーへの電荷注入が発生しやすくなる。
【００４７】
つまり、スクイーズの場合もトナーチャージ機構により強い帯電を付与して、速度が粒子の移動速度が速くなっていると、図１０のように早い段階で（Ｂ）の状態になりその後ニップを出るまでにより大きな電荷注入を受けると考えられる。この場合も、ニップに印加するバイアスを通常よりも低めに設定することで、粒子の移動を遅くしニップ内で（Ｂ）の状態が長く続かないようにすることで、過剰な電荷注入を防止できる。
【００４８】
（実施例１）
トナーチャージャによるチャージ量の調整のための実施例１は、トナーチャージャ２０Ｙ、２０Ｍ、２０Ｃ、２０Ｋとして図１１に示すコロトロン式のトナー帯電用コロナ帯電器９０を用いる。トナー帯電用コロナ帯電器９０は、現像ローラ１９Ｙ、１９Ｍ、１０Ｃ、１９Ｋに向けて開口部が形成されたコロナハウス９２とコロナハウス９２内に張架されたコロナワイヤー９１により構成される。コロナワイヤー９１に電流を流すことによりコロナハウス９２の開口部から現像ローラ１９Ｙ、１９Ｍ、１０Ｃ、１９Ｋに向けてコロナイオン流を発生させトナーを帯電する。コロナワイヤー９１の電流供給手段にはコロナワイヤー電流測定手段９３が配置され、コロナハウス９２には、コロナハウス９２に流れ込む電流を測定するコロナハウス電流測定手段９４を配置する。
【００４９】
パッチシーケンスでは、まずトナー帯電用コロナ帯電器９０により現像ローラ１９Ｙ、１９Ｍ、１０Ｃ、１９Ｋ上のトナーに付与する電流値を０μＡから２．５μＡ刻みで増やしながら図１２に示すようなベタパッチを形成し、その都度中間転写体に対向して設けた濃度センサーを用いてパッチ濃度を参照し、規定濃度に達したら、パッチシーケンスを終了し、その時点での電流値を採用する。この際、現像ローラ１９Ｙ、１９Ｍ、１０Ｃ、１９Ｋへ付与されるトナーチャージ電流は、それ自体を直接測定するのではなく、コロナワイヤー９１に流れる電流をコロナワイヤー電流測定手段９３で測定した電流値Ｉｗの絶対値から、コロナハウス９２に流れ込む電流をコロナハウス電流測定手段９４で測定した電流値Ｉｈの絶対値を引いた値？Ｉｗ？−？Ｉｈ？を用いる。
【００５０】
このとき、現像バイアス値は規定の値（＋４００Ｖ）に設定される。また、一次転写バイアスは設定範囲内の上限値を採用し、一次転写によってパッチ画像に乱れが発生することを防止する。スクイーズ機構を有する場合は同様に、各スクイーズ機構への印加バイアスは設定範囲内の上限値を採用し、スクイーズによってパッチ画像に乱れが発生することを防止する。
【００５１】
トナー帯電用コロナ帯電器９０のトナーチャージ電流値に対するパッチ濃度すなわちパッチセンサの信号強度は図１３に示すようになる。すなわち、トナーチャージ電流値が低すぎると現像ローラから感光体へのトナーの移動が不十分になる。この場合、感光体上の画像部のトナー量が不足したり、現像ニップ出口において、液の泣き別れ界面にトナー粒子が存在することになり、リブによる乱れが生じる。これらの不具合により、パッチ濃度が規定より低くなる。図１３の場合はトナーチャージ電流値を７．５μＡで規定濃度に達するため、新しいトナーチャージ電流値は７．５μＡに設定する。
【００５２】
決定されたトナーチャージ電流値に応じて、バイアス印加手段の設定値の調整を行う。調整を行うバイアス印加手段は、装置構成やトナー特性に合わせて適宜選択可能である。装置は、調整を行うバイアス印加手段の種類に応じて次の表１〜表８のようなマップを持つ。
【００５３】
【表１】
2009145753.tif 000003
【００５４】
【表２】
2009145753.tif 000004
【００５５】
【表３】
2009145753.tif 000005
【００５６】
【表４】
2009145753.tif 000006
【００５７】
【表５】
2009145753.tif 000007
【００５８】
【表６】
2009145753.tif 000008
【００５９】
【表７】
2009145753.tif 000009
【００６０】
【表８】
2009145753.tif 000010
【００６１】
バイアス印加手段の設定値はこのマップを参照し、設定されたトナーチャージ電流値に対応する値に決定される。例えば、上記の表１は一次転写バイアスのみを調整する場合である。上記のようトナーチャージ電流値が７．５μＡに設定された場合、一次転写バイアス値は−３７５Ｖに調整される。
【００６２】
これとは別に、一次転写バイアスに加えて感光体上スクイーズのバイアスを調整する場合は、表２のように、一次転写バイアスが−３７５Ｖ、感光体上スクイーズバイアス値が３４０Ｖに調整される。また、表８のように感光体上スクイーズを２段有する場合は、それぞれ独立して制御しても良い。
【００６３】
パッチシーケンスを行うタイミングとしては、装置起動時、一定枚数印字時（例えばＭＡ４１０００枚毎）、一定時間経過後（例えば、３０分毎）等である。
【図面の簡単な説明】
【００６４】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【図１２】本発明の実施形態を示す図である。
【図１３】本発明の実施形態を示す図である。
【符号の説明】
【００６５】
１…画像形成装置、２Ｙ、２Ｍ、２Ｃ、２Ｋ…各色の感光体、５Ｙ、５Ｍ、５Ｃ、５Ｋ…各色の現像装置、６Ｙ、６Ｍ、６Ｃ、６Ｋ…各色の感光体上スクイーズ装置、７Ｙ、７Ｍ、７Ｃ、７Ｋ…各色の一次転写装置、１０…中間転写ベルト、１１…ベルト駆動ローラ、１３…従動ローラ、１５Ｙ、１５Ｍ、１５Ｃ、１５Ｋ…中間転写体上スクイーズ装置、１６…二次転写装置、１８Ｙ、１８Ｍ、１８Ｃ、１８Ｋ…各色の現像剤供給部、２０Ｙ、２０Ｍ、２０Ｃ、２０Ｋ…各色のトナーチャージャ、２３Ｙ、２３Ｍ、２３Ｃ、２３Ｋ…各色の液体現像剤、４３…二次転写ローラ、４５…二次転写ローラクリーナ、４７…二次転写ローラクリーナ回収液貯留容器
【図１】
2009145753.tif 000011
【図２】
2009145753.tif 000012
【図３】
2009145753.tif 000013
【図４】
2009145753.tif 000014
【図５】
2009145753.tif 000015
【図６】
2009145753.tif 000016
【図７】
2009145753.tif 000017
【図８】
2009145753.tif 000018
【図９】
2009145753.tif 000019
【図１０】
2009145753.tif 000020
【図１１】
2009145753.tif 000021
【図１２】
2009145753.tif 000022
【図１３】
2009145753.tif 000023